(57)【要約】【課題】二重窓において内窓と外窓の間で円滑に排水がなされるようにして、額縁材を保護できるベース部材を提供する。【解決手段】外窓５０を構成する外枠体５１の室内側に設けられる額縁材５に対して取付けられ、内窓１を構成する内枠体２の下枠１１を底上げする基部３１と、基部の室外端部から少なくとも外枠体５１の下枠５４の位置まで延びて額縁材５の下辺を覆うカバー部３２とを備え、カバー部３２はベース部材３０が内窓１と外窓５０の間の下辺に取付けられることで、室内側から室外側に向かう下方傾斜状の排水面３２ｂを形成する。【選択図】図３
2011252273.tif 000002
【特許請求の範囲】
【請求項１】
建物開口部に設けられる外窓の室内側に内窓が設けられる二重窓の、前記内窓の下部に設けられるベース部材であって、
前記外窓を構成する外枠体の室内側に設けられる額縁材に対して取付けられ、前記内窓を構成する内枠体の下枠を底上げする基部と、該基部の室外端部から少なくとも前記外枠体の下枠の室内端位置まで延びて前記額縁材の下辺を覆うカバー部とを備え、該カバー部は前記ベース部材が前記内窓の下部に取付けられることで、室内側から室外側に向かう下方傾斜状の排水面を形成することを特徴とするベース部材。
【請求項２】
前記基部は前記内枠体の下枠を載置する上面部を有し、前記カバー部により形成される前記排水面は前記基部の上面部と連続状となることを特徴とする請求項１記載のベース部材。
【請求項３】
前記基部またはカバー部の両側には、それぞれ前記額縁材の縦辺との間を埋めるように止水材が設けられることを特徴とする請求項１または２記載のベース部材。
【請求項４】
前記基部とカバー部は別体に形成されてなることを特徴とする請求項１〜３のいずれか１項に記載のベース部材。
【請求項５】
前記カバー部は室内外方向の複数位置で、長手方向に沿って切断自在とされることを特徴とする請求項１〜４のいずれか１項に記載のベース部材。
【請求項６】
建物開口部に外窓を設け、該外窓を構成する外枠体の室内側に額縁材を設け、該額縁材の内周面に内窓を設けてなる二重窓において、
前記内窓の下部に請求項１〜５のいずれか１項に記載のベース部材を設けてなることを特徴とする二重窓。
【発明の詳細な説明】
【技術分野】
【０００１】
本発明は、二重窓を構成する内窓と外窓の間の排水性を良好にするため内窓に対して取付けられるベース部材及びそれを備える二重窓に関し、特に内窓を構成する下枠の下部に取付けられて該下枠を底上げする基部を有するベース部材及びそれを備える二重窓に関する。
【背景技術】
【０００２】
従来、建物開口部に内窓と外窓を二重に設けてなる二重窓が知られている。窓を二重にすることで、内窓と外窓の間が密閉空間となるので、断熱性能を高めて結露を防止することができると共に、防音性も高くすることができる。内窓は、建物開口部に窓を設ける際に予め設けることもできるし、また既設のサッシに内窓を追加するように設けることもできる。
【０００３】
外窓を構成する枠体の室内側には、四周に渡って木製の額縁材が設けられ、この額縁材の内周面に内窓の枠体が取付けられる。内窓と外窓の間に空間を形成するため、内窓は外窓の室内端部よりも室内側寄りに離隔して配置される。このような構造を有した二重窓としては、例えば特許文献１に挙げるようなものがある。
【先行技術文献】
【特許文献】
【０００４】
【特許文献１】特開２００８−２７４６０５号公報
【発明の概要】
【発明が解決しようとする課題】
【０００５】
二重窓において、内窓は室外側と断熱されるため、結露の発生はあまり想定されておらず、直接室外側に面する外窓ほど排水性能を有していないが一般的であった。しかし、地域や環境によっては、結露や種々の要因で内窓の下枠にも水が溜まることが想定され、その際に、内窓の下枠は外窓の下枠ほどの排水性能を有していないので、水が室内側にあふれてしまう虞があった。さらに、内窓と外窓の間は、密閉空間であるためゴミや水が溜まりやすい。通常、内窓が取り付けられる額縁材は、前述のように木製であることが多く、水が溜まると傷む原因になる虞がある。
【０００６】
本発明は前記課題を鑑みてなされたものであり、二重窓において内窓と外窓の間で円滑に排水がなされるようにして、内窓下枠の排水性能を向上させると共に、額縁材を保護できるベース部材及びそれを備える二重窓を提供することを目的とする。
【課題を解決するための手段】
【０００７】
前記課題を解決するため、本発明に係るベース部材は、建物開口部に設けられる外窓の室内側に内窓が設けられる二重窓の、前記内窓の下部に設けられるベース部材であって、
前記外窓を構成する外枠体の室内側に設けられる額縁材に対して取付けられ、前記内窓を構成する内枠体の下枠を底上げする基部と、該基部の室外端部から少なくとも前記外枠体の下枠の室内端位置まで延びて前記額縁材の下辺を覆うカバー部とを備え、該カバー部は前記ベース部材が前記内窓の下部に取付けられることで、室内側から室外側に向かう下方傾斜状の排水面を形成することを特徴として構成されている。
【０００８】
また、本発明に係るベース部材は、前記基部は前記内枠体の下枠を載置する上面部を有し、前記カバー部により形成される前記排水面は前記基部の上面部と連続状となることを特徴として構成されている。
【０００９】
さらにまた、本発明に係るベース部材は、前記基部またはカバー部の両側には、それぞれ前記額縁材の縦辺との間を埋めるように止水材が設けられることを特徴として構成されている。
【００１０】
そして、本発明に係るベース部材は、前記基部とカバー部は別体に形成されてなることを特徴として構成されている。
【００１１】
また、本発明に係るベース部材は、前記カバー部は室内外方向の複数位置で、長手方向に沿って切断自在とされることを特徴として構成されている。
【００１２】
さらに、本発明に係る二重窓は、建物開口部に外窓を設け、該外窓を構成する外枠体の室内側に額縁材を設け、該額縁材の内周面に内窓を設けてなる二重窓において、
前記内窓の下部に前記いずれかのベース部材を設けてなることを特徴として構成されている。
【発明の効果】
【００１３】
本発明に係るベース部材によれば、内枠体の下枠を底上げする基部と、基部の室外端部から少なくとも外枠体の下枠の室内端位置まで延びて額縁材の下辺を覆うカバー部とを備え、カバー部は室内側から室外側に向かう下方傾斜状の排水面を形成することにより、内窓と外窓の間について額縁材の下辺をカバー部で覆い、意匠性を高くできると共に、内窓の下枠を持ち上げた上でカバー部が内窓と外窓の間をつなぐこととなるので、排水面により内窓からの水を排水構造が設けられる外窓に導くことができて、額縁材を保護することができる。
【００１４】
また、本発明に係るベース部材によれば、基部は内枠体の下枠を載置する上面部を有し、カバー部により形成される排水面は基部の上面部と連続状となることにより、内枠体の下枠の下部に上面部及び排水面が配置され、かつ排水面は室内側から室外側に向かう下方傾斜状であるので、内窓からの水を確実に外窓側に導くことができる。
【００１５】
さらにまた、本発明に係るベース部材によれば、基部またはカバー部の両側には、それぞれ額縁材の縦辺との間を埋めるように止水材が設けられることにより、内窓と外窓の間の領域について額縁材の下辺を露出させないようにして、意匠性を高めると共に、額縁材の下辺に水が浸入しないようにすることができ、また額縁材の縦辺側も水に直接触れることがないようにすることができる。
【００１６】
そして、本発明に係るベース部材によれば、基部とカバー部は別体に形成されてなることにより、外部に露出するカバー部のみを後で取り外し、また取替えることができ、経年劣化による交換や、あるいはカバー部を取り外しての清掃などを容易にすることができる。
【００１７】
また、本発明に係るベース部材によれば、カバー部は室内外方向の複数位置で、長手方向に沿って切断自在とされることにより、カバー部の室内外方向の長さを変更でき、内窓と外窓の間隔が異なる複数種類のサッシに同じ部品を適用できるので、部品の共用化によるコストダウンを図ることができる。
【図面の簡単な説明】
【００１８】
【図１】本実施形態における二重窓の縦断面図である。
【図２】二重窓の横断面図である。
【図３】図１における内窓の下枠付近拡大図である。
【図４】図３において額縁材とベース部材のみを表した図である。
【図５】下枠と縦枠により形成されるコーナー部付近の斜視図である。
【図６】カバー部の寸法を変更したベース部材の断面図である。
【図７】内窓と外窓の間隔が異なる二重窓の縦断面図である。
【発明を実施するための形態】
【００１９】
本発明の実施形態について図面に沿って詳細に説明する。図１には本実施形態における二重窓の縦断面図を、図２には二重窓の横断面図を、それぞれ示している。これら各図に示すように、本実施形態の二重窓全体の構成としては、建物開口部に外窓５０を取付け、その室内側に内窓１を設けて二重構造としてなるものである。
【００２０】
外窓５０は、方形状に枠組みされた外枠体５１内に、外側内障子５２と外側外障子５３を引き違い状に納めてなるものであり、一般的なサッシの構成と同様のものである。外窓５０の室内側には四周に渡って額縁材５が設けられており、額縁材５の室内外中間位置に内窓１が取付けられる。
【００２１】
内窓１は、額縁材５に取付けた内枠体２内に内障子３と外障子４を引き違い状に納めてなるものである。内枠体２は、いずれも樹脂材からなる上枠１０と下枠１１及び左右の縦枠１２、１２を方形状に枠組みして構成される。また、内障子３及び外障子４は、いずれも樹脂材からなる上框２０と下框２１、枠側に配置される縦框である枠側縦框２２及び召合せ側に配置される縦框である召合せ框２３を方形状に框組みしてなる框体７にガラス体８を納めて構成され、内枠体２内において長手方向に走行自在となるように納められる。すなわち、内窓１は樹脂材によって構成される樹脂サッシである。
【００２２】
下枠１１は外周面部１１ａから立ち上がるように、室内側から順に室内側辺１１ｂと内レール１１ｃ、外レール１１ｄ、及び室外側片１１ｅを備えている。内障子３と外障子４の各下端部には戸車２１ａが設けられ、この戸車２１ａが下枠１１の内レール１１ｃまたは外レール１１ｄに載置されて、内障子３と外障子４を長手方向に走行自在とする。
【００２３】
内枠体２を構成する上枠１０と縦枠１２は、額縁材５の内周面に対して直接当接しネジ止め固定されている。一方、下枠１１は、額縁材５の内周面に取付けられるベース部材３０を介して、額縁材５に対して固定されている。
【００２４】
ベース部材３０についてさらに詳細に説明する。図３には図１における内窓１の下枠１１付近拡大図を、図４には図３において額縁材５とベース部材３０のみを表した図を、それぞれ示している。ベース部材３０は、内枠体２の室内外方向幅の全長に渡る幅を有すると共に、額縁材５の下辺のうち、内枠体２と外枠体５１の間の領域を被覆するように設けられていて、額縁材５の内周面に取付けられて内枠体２の下枠１１を底上げする基部３１と、基部３１の室外端部から突出して内枠体２と外枠体５１の間の領域に配置されるカバー部３２とを有して構成されている。
【００２５】
ベース部材３０の基部３１は、額縁材５の内周面から立ち上がる垂直部３１ａを室内外の各端部に備え、垂直部３１ａ間は平面状の上面部３１ｂとなっている。この上面部３１ｂに下枠１１の外周面部１１ａが載置されて、下枠１１が額縁材５の内周面よりも高い位置に底上げされた状態となる。
【００２６】
また、基部３１の室内外方向中間位置であって、内窓１の内障子３と外障子４の間となる位置には、下枠１１及びベース部材３０を額縁材５に固定するためのネジを挿通させるネジ挿通部３１ｃが形成されている。このネジ挿通部３１ｃに挿通されるネジにより、ベース部材３０は下枠１１と共に額縁材５に対してネジ止めされる。
【００２７】
ベース部材３０のカバー部３２は、基部３１の室外端部から室外側に向かって延び、上面は基部３１の上面部３１ｂと連続状となっている。外窓５０を構成する外枠体５１の外下枠５４は、室内端部に凹状の室内側溝部５４ａを有していて、ベース部材３０のカバー部３２は、外下枠５４の室内側溝部５４ａの位置まで延びるように形成されている。
【００２８】
カバー部３２の下面側には、斜め下方に向かって突出する支持部３２ａが、長手方向に沿って室内外方向に複数形成されており、この支持部３２ａが外下枠５４の上面に載置されることで、カバー部３２の上面は若干傾斜する。すなわち、ベース部材３０が額縁材５の内周面に取付けられ、内窓１と外窓５０の間の下辺に配置されるのに伴い、カバー部３２の上面は室内側から室外側に向かう下方傾斜状となって、内枠体２からの水を外枠体５１側に導く排水面３２ｂを形成する。
【００２９】
外窓５０は、通常のサッシの構成を有しており、外枠体５１には排水構造が設けられている。内窓１側からの水は、ベース部材３０の排水面３２ｂを介して、外枠体５１の室内側溝部５４ａに流入し、そこから外枠体５１の排水構造を経て室外側に排水される。内窓１の下枠１１は、ベース部材３０の基部３１によって底上げされており、基部３１の上面部３１ｂと排水面３２ｂは連続状となっているから、内枠体２側からの水を、確実に排水面３２ｂから外枠体５１側に流すことができる。
【００３０】
このように、内窓１と外窓５０の間の領域について、額縁材５の下辺をベース部材３０のカバー部３２で覆っているので、意匠性を高くすることができる。また、内窓１の下枠１１を持ち上げた上で、カバー部３２が内窓１と外窓５０の間をつないでいるので、排水面３２ｂにより内窓１からの水を排水構造が設けられる外窓５０に導くことができて、額縁材５を保護することができる。
【００３１】
また、外窓５０を構成する外側内障子５２には、図２に示すように、召合わせ框の室内側が張り出すようにプルバー部５２ａが形成されている。プルバー部５２ａは、図３に示すように、下端部が外下枠５４と干渉しないように切り欠かれている。ベース部材３０のカバー部３２は、外下枠５４の室内端部に形成されるアングル部５１ａの上面も覆っているため、プルバー部５２ａとも近接するが、カバー部３２が室内側から室外側に向かう下方傾斜状となっているため、プルバー部５２ａと干渉することがない。
【００３２】
ベース部材３０には、両側部に止水材３３が設けられていて、基部３１の側部からの水漏れを防止している。図２に示されているように、内枠体２の室外端部には、両側に縦室外フィン部１２ａが形成されており、ベース部材３０の基部３１は、概ね一方の縦室外フィン部１２ａの先端から他方の縦室外フィン部１２ａの先端に渡る幅を有して形成されている。一方、外枠体５１の室内側には、四周に渡ってアングル部５１ａが形成されていて、その室内端部は内枠体２の室外端部とは離隔している。ベース部材３０のカバー部３２は、左右のアングル部５１ａ間に渡る幅を有しており、基部３１よりも幅広となっている。
【００３３】
このため、内枠体２と外枠体５１の間では、基部３１の両側に空いた領域が形成されるが、この領域に止水材３３が設けられる。止水材３３は、額縁材５の下辺の露出する部分を覆うと共に、額縁材５の縦辺についても、基部３１の上面部３１ｂ近傍を被覆する。これにより、内窓１と外窓５０の間の領域について額縁材５の下辺を露出させないようにして、意匠性を高めると共に、額縁材５の下辺に水が浸入しないようにすることができ、また額縁材５の縦辺側も水に直接触れることがないようにすることができる。
【００３４】
なお、本実施形態では、基部３１の両側端部と額縁材５の縦辺との間が空いているので、基部３１の両側に止水材３３が設けられているが、カバー部３２の両側端部と額縁材５の縦辺との間が空いている構成の場合には、カバー部３２の両側に止水材３３を設けることとなる。
【００３５】
内窓１を取付ける際には、予め外窓５０及び額縁材５が建物開口部に取付けられた状態で、図４に示すように額縁材５の下辺にベース部材３０を載置し、ベース部材３０の上面部３１ｂに対して内枠体２を載置して、内周側から四辺をそれぞれ額縁材５に対してネジ止め固定する。この際、下枠１１は、前述のようにベース部材３０の基部３１と共に額縁材５に対してネジ止め固定される。
【００３６】
ベース部材３０は、樹脂材によって形成されている。また、基部３１とカバー部３２は別体として形成されてベース部材３０を構成している。ただし、基部３１とカバー部３２を最初から一体的に形成してもよい。別体で形成した場合は、外部に露出するカバー部３２のみを後で取り外し、また取替えることができ、経年劣化による交換や、あるいはカバー部３２を取り外しての清掃などを容易にすることができる。
【００３７】
図５には、下枠１１と縦枠１２により形成されるコーナー部付近の斜視図を示している。この図に示すように、内窓１と外窓５０の間において、額縁材５の下辺は端部付近までカバー部材３０で覆われており、またカバー部材３０の側部であって額縁材５の縦辺と隣接する部分には、止水材３３が設けられている。止水材３３の上面はカバー部３２の上面である排水面３２ｂより若干高くなっており、排水面３２ｂを流れる水が額縁材５の縦辺に触れないようにしている。
【００３８】
二重窓において、内窓１と外窓５０の室内外方向における間隔は、外窓５０に設けられるクレセントの軌道に干渉しないように設定される。また、外窓５０にはアングル部を有するタイプと有しないタイプとがある。したがって、内窓１と外窓５０の室内外方向における間隔は、内窓１と外窓５０の仕様に応じて、複数設定される。このため、内窓１と外窓５０の間の下辺を被覆するベース部材３０のカバー部３２は、室内外方向寸法の異なる複数種類が求められる。これをそれぞれ別の部品として用意するのは、高コスト化の要因となるので、本実施形態のカバー部３２は、室内外方向の寸法を変更できるように形成されている。
【００３９】
図３に示すカバー部３２は、支持部３２ａの根元となる位置で長手方向に沿って切断可能となるように形成されている。カバー部３２は、複数の支持部３２ａの位置でそれぞれ切断自在となっている。図６には、カバー部３２の寸法を変更したベース部材３０の断面図を示している。この図では、図３に示されているカバー部３２のうち、先端から２番目の支持部３２ａの位置で、先端側を長手方向に沿って切り取った状態を示している。
【００４０】
このように、カバー部３２について室内外方向の長さを変更できるようにしたことで、内窓１と外窓５０の間隔が異なる二重窓について、同じベース部材３０を用いることができるので、部品の共用化によるコストダウンを図ることができる。
【００４１】
図７には、内窓１と外窓５０の間隔が異なる二重窓の縦断面図を示している。この図に示す二重窓は、図１に示すものに比べて、内窓１が室内側寄りに設置されていて、内窓１の室外端部と外窓５０の室内端部との距離が大きい。一方で、ベース部材３０としては図１に示すものと同一の部品を用いている。このため、カバー部３２の室外端部は、外窓５０を構成する外下枠５４の室内端部である、アングル部５１ａの室内端位置に配置されることとなる。このように、カバー部３２が少なくとも外下枠５４の室内端位置まで伸びていることで、内窓１からの排水を排水面３２ｂを介して外下枠５４に導くことができ、内窓１の排水性を向上させることができる。
【００４２】
以上、本発明の実施形態について説明したが、本発明の適用は本実施形態には限られず、その技術的思想の範囲内において様々に適用されうるものである。
【符号の説明】
【００４３】
１    内窓
２    内枠体
３    内障子
４    外障子
５    額縁材
１０    上枠
１１    下枠
１２    縦枠
３０    ベース部材
３１    基部
３２    カバー部
３３    止水材
５０    外窓
５１    外枠体
【図１】
2011252273.tif 000003
【図２】
2011252273.tif 000004
【図３】
2011252273.tif 000005
【図４】
2011252273.tif 000006
【図５】
2011252273.tif 000007
【図６】
2011252273.tif 000008
【図７】
2011252273.tif 000009